(57)【要約】【課題】シャフト内蔵型のシャッター開閉機を外置型のシャッター開閉機として使用するためのシャッター開閉機の取付構造を提供する。【解決手段】シャッター開閉機５が挿入される筒状部６０と、筒状部６０の基端側に形成した取付板６１と、を備えた取付台６を用いたシャッター開閉機の取付構造。筒状部６０の内面と複数の放熱フィン５００が形成されたシャッター開閉機のケースの外面との間に形成される隙間には、先端側の開口から複数の固定部材７が、筒状部６０の周方向に間隔を存して差し込まれている。各固定部材７を、当該固定部材７が放熱フィン５００及び筒状部６０の内面に接触した状態で、筒状部６０の先端側の外面から設けるボルト８によって筒状部６０の先端側部位に固定することで、筒状部６０に挿入されたシャッター開閉機５を固定する。【選択図】図３
2010174529.tif 000002
【特許請求の範囲】
【請求項１】
先端側及び基端側の両端に開口を有する筒状部と、筒状部の基端側に形成した取付板と、を備えた取付台を用いたシャッター開閉機の取付構造であって、
前記取付台は、前記取付板を介して、開口部上方に設けた支持部材に対して、巻取シャフトの駆動側端部に離間対向するように取り付けられており、
前記シャッター開閉機のケースにはモータが内蔵されていると共に、前記シャッター開閉機の端部にはモータの回転を巻取シャフトに伝達する出力軸が突設されており、前記ケースの外面には当該外面から立ち上がると共に、当該ケースの長さ方向に延出する複数の立ち上がり片が形成されており、
前記筒状部には、前記出力軸が前記基端側の開口から突出するように前記シャッター開閉機が挿入されており、
前記筒状部の内面と前記複数の立ち上がり片が形成されたシャッター開閉機のケースの外面との間に形成される隙間には、前記先端側の開口から複数の固定部材が、前記筒状部の周方向に間隔を存して差し込まれており、
各固定部材を、当該固定部材が前記立ち上がり片及び前記筒状部の内面に接触した状態で、前記筒状部の先端側の外面から設ける止着部材によって前記筒状部の先端側部位に固定することで、前記筒状部に挿入された前記シャッター開閉機を固定してなる、
シャッター開閉機の取付構造。
【請求項２】
前記固定部材は、上片と対向状の左右の側片とを備えており、前記側片が前記立ち上がり片に接触し、前記上片が筒状部の内面に接触した状態で前記止着部材で固定されている、
請求項１に記載のシャッター開閉機の取付構造。
【請求項３】
前記出力軸および前記巻取シャフトの駆動側端部にはそれぞれスプロケットが設けてあり、スプロケット間に巻回したチェーンを介して前記出力軸の回転が前記巻取シャフトに伝達されるように構成されており、
前記筒状部においてチェーンの延出方向と反対側に位置して１つの固定部材を差し込み、当該１つの固定部材に対して筒状部周方向の両側に位置して対向状に２つの固定部材を差し込み、少なくとも３つの固定部材を用いて前記筒状部に挿入された前記シャッター開閉機を固定している、
請求項１、２いずれかに記載のシャッター開閉機の取付構造。
【発明の詳細な説明】
【技術分野】
【０００１】
本発明は、シャッター開閉機の取付構造に関するものである。
【背景技術】
【０００２】
シャッター開閉機には、シャッターカーテンの巻取体の内部に設けたいわゆる内蔵型と、シャッターカーテンの巻取体の外部に設置したいわゆる外置型と、がある。内蔵型のシャッター開閉機については特許文献１に、外置型のシャッター開閉機については特許文献２に、それぞれ記載されている。また、図９、図１１にそれぞれ従来の内蔵型のシャッター開閉機の取付構造、外置型のシャッター開閉機の取付構造を示すが、本発明の構成要素と同一ないし類似の機能を備えた要素については、同じ参照番号に「´」を付して表示している。
【０００３】
図９に、従来の内蔵型のシャッター開閉機の取付構造を示す。巻取シャフト２´の駆動側の端部の内部には、シャッター開閉機５が設けてあるが、シャッター開閉機５は、筒状部６０´を備えた取付台６´を介して設置されている。取付台６´の基端側は駆動側ブラケット１１に連結されており、取付台６´は、駆動側ブラケット１１から巻取シャフト２´の端部内を持ち出し状に延出している。取付台６´の筒状部６０´にはシャッター開閉機５が挿入されており、シャッター開閉機５の出力軸５４は取付台６´の先端よりも突出しており、巻取シャフト２´と一体で回転するホイール１２に連結されている。
【０００４】
内蔵型の取付構造においては、シャッター開閉機５の出力軸５４の回転力を巻取シャフト２´に直接伝達するものであり、回転力の伝達時に発生し得る無理な力を逃がすために、シャッター開閉機５の基端側が図９において上下に僅かに回動可能となっている。具体的に説明する。シャッター開閉機５と取付台６´の筒状部６０´とは、図１０（A）〜（B）に示す支持具１３を介して連結されている。支持具１３は、プレート状の本体１３０と、本体１３０の表面に盛り上がり状に一体形成された円板状の隆起部１３１と、隆起部１３１及び本体１３０を貫通する孔１３２が形成されている。筒状部６０´には、支持具１３の隆起部１３１を受け入れる円形状の開口が形成されている。筒状部６０´に形成された開口に隆起部１３１を受け入れた状態で、筒状部６０´の外側から円形状の取付蓋１５を重ね、筒状部６０´を挟むようにして取付蓋１５と支持具１３とを螺子１６で固定する。シャッター開閉機５のケースの外面には、出力軸側に位置して、支持具１３に対応する凹部５１０が形成されており、凹部５１０を支持具１３の本体１３０に嵌め込み、孔１３２を通る螺子１４によって支持具１３にシャッター開閉機５を固定する。このように構成することで、円板状の隆起部１３１を介してシャッター開閉機５の基端側が図９において上下方向に僅かに回動可能となっている。
【０００５】
図１１には、従来の外置型のシャッター開閉機の取付構造を示す。シャッター開閉機５´のケースには、ケースから外側に延出する取付プレートPが設けてあり、取付プレートPの取付孔にボルトや螺子を挿入することで、シャッター開閉機５´を開口部上方に設けた支持部材に固定する。
【０００６】
図７に示すような内蔵型のシャッター開閉機５を外置型として用いたいという要望があるが、その場合、図９に示すような内蔵型のシャッター開閉機の取付構造をそのまま外置に採用することには、構造上、以下に述べる問題がある。
【０００７】
上述のように内蔵型のシャッター開閉機の取付構造では、筒状部６０´に対してシャッター開閉機５の回動を許容しているが、外置型のシャッター開閉機では、シャッター開閉機の出力軸と巻取シャフトとをチェーンを介して伝達するため、内蔵型のシャッター開閉機の取付構造をそのまま外置型のシャッター開閉機の取付に用いるとすれば、シャッター開閉機が動いてしまいチェーンを介する回転力の伝達を良好に行なうことができない。
【０００８】
一方、図７に示す内蔵型のシャッター開閉機５は、図１１に示すシャッター開閉機５´のように取付プレートPが無いため、図１１に示すようにシャッター開閉機５を支持部材に対して直接取り付けることは困難である。
【先行技術文献】
【特許文献】
【０００９】
【特許文献１】特開２００６−９４５０号公報
【００１０】
【特許文献２】特開２００４−２９９８０４号公報
【発明の概要】
【発明が解決しようとする課題】
【００１１】
本発明は、シャフト内蔵型のシャッター開閉機を外置型のシャッター開閉機として使用するためのシャッター開閉機の取付構造を提供することを目的とする。
【課題を解決するための手段】
【００１２】
本発明は、先端側及び基端側の両端に開口を有する筒状部と、筒状部の基端側に形成した取付板と、を備えた取付台を用いたシャッター開閉機の取付構造であって、
前記取付台は、前記取付板を介して、開口部上方に設けた支持部材に対して、巻取シャフトの駆動側端部に離間対向するように取り付けられており、
前記シャッター開閉機のケースにはモータが内蔵されていると共に、前記シャッター開閉機の端部にはモータの回転を巻取シャフトに伝達する出力軸が突設されており、前記ケースの外面には当該外面から立ち上がると共に、当該ケースの長さ方向に延出する複数の立ち上がり片が形成されており、
前記筒状部には、前記出力軸が前記基端側の開口から突出するように前記シャッター開閉機が挿入されており、
前記筒状部の内面と前記複数の立ち上がり片が形成されたシャッター開閉機のケースの外面との間に形成される隙間には、前記先端側の開口から複数の固定部材が、前記筒状部の周方向に間隔を存して差し込まれており、
各固定部材を、当該固定部材が前記立ち上がり片及び前記筒状部の内面に接触した状態で、前記筒状部の先端側の外面から設ける止着部材によって前記筒状部の先端側部位に固定することで、前記筒状部に挿入された前記シャッター開閉機を固定してなる、
シャッター開閉機の取付構造、である。
１つの態様では、前記複数の立ち上がり片は、複数の放熱フィンである。
前記止着部材は、典型的には、螺子（ボルトも含む）である。
【００１３】
１つの態様では、前記固定部材は、上片と対向状の左右の側片とを備えており、前記側片が前記立ち上がり片に接触し、前記上片が筒状部の内面に接触した状態で前記止着部材で固定されている。
【００１４】
１つの態様では、前記出力軸および前記巻取シャフトの駆動側端部にはそれぞれスプロケットが設けてあり、スプロケット間に巻回したチェーンを介して前記出力軸の回転が前記巻取シャフトに伝達されるように構成されており、
前記筒状部においてチェーンの延出方向と反対側に位置して１つの固定部材を差し込み、当該１つの固定部材に対して筒状部周方向の両側に位置して対向状に２つの固定部材を差し込み、少なくとも３つの固定部材を用いて前記筒状部に挿入された前記シャッター開閉機を固定している。
チェーンが水平方向に延出している場合には、上記２つの固定部材は、前記筒状部の上下に位置して設けられることになる。
【発明の効果】
【００１５】
本発明に係る取付構造では、取付台と、固定部材を用意し、シャッター開閉機のケース外面に形成した複数の立ち上がり片を利用することで、シャフト内蔵型のシャッター開閉機を外置型のシャッター開閉機として使用することを可能とする。そして、本発明に係る取付構造では、チェーンによる力が作用する出力軸から離隔した側、すなわち、筒状部の先端側部位において筒状部とシャッター開閉機が固定されているので、取付状態が安定する。また、立ち上がり片としては、シャッター開閉機に本来的に備わっている場合が多い放熱フィンを利用することができ、この場合には、取付構造を構成する部品点数が少なくて済む。
【００１６】
固定部材を、上片と対向状の左右の側片とから形成することで、前記筒状部の内面と前記複数の立ち上がり片が形成されたシャッター開閉機のケースの外面との間に形成される隙間に良好に固定部材を挿入することができ、立ち上がり片及び筒状部の内面との接触状態も容易に得ることができる。
【００１７】
前記筒状部においてチェーンの延出方向と反対側に位置して１つの固定部材を差し込み、当該１つの固定部材に対して筒状部周方向の両側に位置して対向状に２つの固定部材を差し込むものでは、チェーンの延出方向とは反対側の固定がチェーンCにより作用する力に有効に対抗することができる。
【図面の簡単な説明】
【００１８】
【図１】シャッター装置の概略正面図である。
【図２】シャッター装置の概略縦断面図である。
【図３】本発明に係るシャッター開閉機の取付構造を示す図である。
【図４】図３を側面から見た図である。
【図５】本発明に係るシャッター開閉機の取付構造における取付台を示す図である。
【図６】本発明に係るシャッター開閉機の取付構造における固定部材を示す図である。
【図７】外置型・内蔵型兼用のシャッター開閉機を示す図である。
【図８】図７を側方から見た図である。
【図９】従来の内蔵型のシャッター開閉機の取付構造を示す図である。
【図１０】（A）〜（C）は、図８に示す取付構造で用いられる支持具を示す図であり、（D）は取付台の筒状部に対する支持具の装着を示す図である。
【図１１】従来の外置型のシャッター開閉機及び当該開閉機の取付構造を示す図である。
【発明を実施するための形態】
【００１９】
図１は、シャッター装置の概略正面図、図２は、縦断面図である。建物開口部の上方部位にはシャッターケース１が設けてあり、シャッターケース１内には巻取シャフト２が回転可能に設けてあり、巻取シャフト２にはシャッターカーテン３の上端が連結されている。巻取シャフト２の回転によって、シャッターカーテン３が巻取シャフト２に巻装され、あるいは、巻取シャフト２から繰り出されて降下するようになっている。開口部の左右にはシャッターカーテンの左右両端部を受け入れ案内するガイドレール４が立設されている。巻取シャフト２は、シャッター開閉機５によって回転駆動される。
【００２０】
図７、図８に示すように、シャッター開閉機５は、構成要素として、モータ部、減速部、ブレーキ部を備えており、シャッター開閉機５の外形は、モータを内蔵する第１ケース５０と、第１ケース５０の先端側に設けられ、減速部を内蔵する第２ケース５１と、第１ケース５０の基端側に設けられ、ブレーキ部を内蔵する第３ケース５２と、からなる。第１ケース５０、第２ケース５１、第３ケース５２は、概ね筒状の外形を備えている。これらの構成要素の機能については当業者において周知事項であるので、詳細な説明は省略する。また、各構成要素を共通の１つのケースに内蔵してもよい。
【００２１】
第１ケース５０及び第３ケース５２から配線５３が延出している。第２ケース５１から巻取シャフト２にモータの回転力を伝達するための出力軸５４が突出している。第１ケース５０の周面には、周面から立ち上がり状に延出し、かつ、第１ケース５０の長さ方向に延出する複数の放熱フィン５００が形成されている。第１ケース５０の放熱フィン５００の先端までを含めた時の外径と第２ケース５１の外径は、後者が少し大きいものの、略同じ寸法である。第３ケース５２の外径は第１ケース５１の外径よりも小さい。また、図８に示すように、第２ケース５１の外面には平面部５１Aが形成されており、平面部５１Aには凹部５１０が形成されており、凹部５１０には螺子孔５１０Aが設けてある。
【００２２】
シャッター開閉機５は、巻取シャフト２の長さ方向の駆動側の端部に離間対向するように設けられる。巻取シャフト２の端部、開閉機５の出力軸５４のそれぞれには、スプロケットS１、S2が設けてあり、スプロケットS１、S２間には伝動チェーンCが巻回されており、シャッター開閉機５の出力軸５４の回転力は、伝動チェーンCを介して巻取シャフト２に伝達される。
【００２３】
シャッター開閉機５は、図９に示すシャフト内蔵型の開閉機としても用いられ得るものである。背景技術で記載したように、凹部５１０及び螺子孔５１０Aは、主として、シャフト内蔵型の取付構造に用いられる。また、図１１に示す従来の外置型の開閉機５´と比較すると明らかなように、シャッター開閉機５には、第１ケース５０、第２ケース５１の外面よりも外側に突出する取付プレート（開閉機５´における取付プレートP）を有していない。
【００２４】
本発明において、シャッター開閉機５は、取付台６と固定部材７を用いた取付構造によって、開口部上方に取り付けられた支持部９に取り付けられる。取付台６は、支持部９のブラケット９０に対してボルト１０によって片持ち状に取り付けられ、シャッター開閉機５は、取付台６に対して固定部材７を用いて取り付けられる。
【００２５】
図５に示すように、取付台６は、シャッター開閉機５を収容する筒状部６０と、筒状部６０の基端側から筒状部６０の長さ方向に対して垂直に外側に向かって延出する取付板６１と、を備えている。筒状部６０の両端は開口となっている。筒状部６０の内部空間は、シャッター開閉機５を受け入れ可能な寸法・形状を備えていると共に、シャッター開閉機５を受け入れた状態において、さらに、第１ケース５０と筒状部６０の内面との間に、筒状部６０の先端側の開口から固定部材７を挿入できる隙間が形成されている。
【００２６】
図３に示すように、筒状部６０には、基端側の開口から第３ケース５２側を先頭にしてシャッター開閉機５が挿入されており、筒状部６０にシャッター開閉機５が挿入された状態において、出力軸５４は基端側の開口から突出している。また、シャッター開閉機５の第１ケース５０の基端側部位は筒状部６０の先端側の開口の外側に位置している。また、筒状部６０の先端側の開口から挿入された固定部材７の半部は筒状部６０の先端側の開口の外側に位置している。
【００２７】
図５に示すように、筒状部６０は、対向する円弧状の湾曲部６０Aと、対向する平面部６０Bと、からなり、概ね円筒状の全体形状を備えている。湾曲部６０Aの先端側には、ボルト８の取付孔６００が形成されている。図示の態様では、３つの取付孔６００が、筒状部６０の周方向に９０度の間隔を存して形成されている。平面部６０Bの内面には、シャッター開閉機５の凹部５１０に対応する形状を備えたプレート６０１が固着されている。取付台６の取付板６１には、ボルト１０を用いて取付台６をブラケット９０に取り付けるための取付孔６１０が形成されている。
【００２８】
図６に示すように、固定部材７は、対向状の側片７０、７１と、側片７０、７１の基端同士を連結する上片７２と、から断面視コ字形状を備えており、上片７２の裏面側にはナット７３が形成（例えば、溶接）されている。筒状部６０にシャッター開閉機５を挿入した状態において、固定部材７を、筒状部６０の先端の開口から放熱フィン５００間で筒状部６０の内面との間に形成される隙間に挿入する。挿入された固定部材は、側片７０、７１が放熱フィン５００に接触し、上片７２が筒状部６０の内面に接触した状態である。
【００２９】
図示の態様では、複数の放熱フィン５００は、周方向に４つのグループからなり、各グループは、４本の第１フィン５００Aと、４本の第１放熱フィン５００Aの両側に形成した第２フィン５００Bからなり、第１フィン５００A、第２フィン５００Bの高さ（立ち上がり寸法）はほぼ同じである。各グループは周方向に間隔を存して配設されている。異なるグループの隣り合う第２フィン５００Bの間の間隔が固定部材７の上片７２の幅寸法に対応しており、異なるグループの隣り合う２つの第２フィン５００Bと、筒状部６０の内面とで形成された隙間に固定部材７が差し込まれる。すなわち、固定部材７は、異なるグループの隣り合う２つの第２フィン５００Bと筒状部６０の内面との間に形成された隙間に適合するような形状・寸法に形成されている。
【００３０】
固定部材７を挿入した状態では、側片７０、７１の先端が第２フィン５００Bの下端部に当接し、上片７２の幅方向両端、すなわち、側片７０と上片７２の角部、側片７１と上片７２の角部はそれぞれ筒状部６０の湾曲部６０Aの内面に当接している。筒状部６０の湾曲部６０Aに形成した取付孔６００と上片７２に形成したナット７３の位置が一致するように固定部材７を挿入させて、ボルト８で湾曲部６０Aと固定部材７を固定する。筒状部６０内でのシャッター開閉機５の周方向の移動は、側片７０、７１を両側から挟むように位置する２つの第２フィン５００Bによって規制される。筒状部６０内でのシャッター開閉機５の長さ方向の移動は、側片７０、７１と第２フィン５００Bとの接触部の摩擦力によって規制される。
【００３１】
また、取付孔６００の寸法をボルト８の軸部の断面寸法よりも少し大きく設定し、上片７２の幅寸法を、第２フィン５００B間の間隔に対して遊びが生じるように若干小さく設定することで、ボルト８の締め付けに伴って、第２フィン５００B間に挿入された固定部材７は、第２フィン５００B間で僅かに傾き、固定部材７を第２フィン５００Bに対して噛み込むように当接させることができ、側片７０、７１と第２フィン５００Bとの接触部の摩擦力をより大きくできる。
【００３２】
図示の態様では、図２に示すように、固定部材７を挿入してボルト８で固定する箇所は、上下２箇所と、チェーンCの延出方向（巻取シャフト２のスプロケットS1の方向）とは反対側の１箇所の、合計３箇所である。こうすることで、上下２箇所の固定がシャッター開閉機５の自重に対抗し、チェーンの延出方向とは反対側の固定がチェーンCにより作用する力に対抗する。４つ以上の固定部材７を用いて４箇所以上でボルト８を固定するようにしてもよい。
【００３３】
シャッター開閉機５において、第２ケース５１の断面寸法が第１ケース５０の断面寸法よりも大きいので、筒状部６０の内部空間の形状は第２ケース５１の断面形状を受け入れることができるような寸法・形状に形成されている。筒状部６０の平面部６０Bは、第２ケース５１の平面部５１Aに対応し、筒状部６０にシャッター開閉機５を挿入した状態において、筒状部６０の平面部６０Bとシャッター開閉機５の第２ケース５１の平面部５１Aとは近接し、筒状部６０側のプレート６０１がシャッター開閉機５側の凹部５１０に嵌り込むようになっている。プレート６０１がシャッター開閉機５側の凹部５１０に嵌り込ませることで、取付台６の筒状部６０に挿入されたシャッター開閉機５の位置決めが容易となり、また、筒状部６０内におけるシャッター開閉機５の周方向の移動が規制される。さらに、平面部６０B（プレート６０１）及び凹部５１０には位置を対応させて取付孔６０１A、５１０Aが形成されており、ボルト９で平面部６０Bとシャッター開閉機５を固定する。ボルト８は筒状部６０の先端側に設けられるのに対して、ボルト９は筒状部６０の基端側に設けてあり、ボルト９による固定は、ボルト８による固定を補助する役割を有する。
【産業上の利用可能性】
【００３４】
本発明は、シャッター開閉機の取り付けに用いることができる。
【符号の説明】
【００３５】
２  巻取シャフト
５  シャッター開閉機
５４  出力軸
５００  放熱フィン
５００A  第１フィン
５００B  第２フィン
６  取付台
７  固定部材
８  ボルト
９  ボルト
１０  ボルト
S1  スプロケット
S2  スプロケット
C  チェーン
【図１】
2010174529.tif 000003
【図２】
2010174529.tif 000004
【図３】
2010174529.tif 000005
【図４】
2010174529.tif 000006
【図５】
2010174529.tif 000007
【図６】
2010174529.tif 000008
【図７】
2010174529.tif 000009
【図８】
2010174529.tif 000010
【図９】
2010174529.tif 000011
【図１０】
2010174529.tif 000012
【図１１】
2010174529.tif 000013